(57)【要約】【課題】ディスク駆動装置の生産性を悪化させることなく、潤滑剤によるピックアップの汚損を防止できるようにする。【解決手段】ディスクを載せて該ディスクの搬入方向および搬出方向に移動するトレイ３を備えたディスク駆動装置である。トレイ３には、ディスクを載置する面とは逆側に突出する壁状突起３４，３６が設けられる。又、ピックアップ６とリードスクリュー１３との間には、壁状突起３４，３６の介入を許容する空隙Ｇが設けられる。そして、トレイ３の壁状突起３４，３６は、ディスク搬入方向へのトレイ３の移動によりディスクがドライブ位置まで搬入された状態で、ピックアップ６とリードスクリュー１３との間に介在する。【選択図】図９
2007188614.tif 000002
【特許請求の範囲】
【請求項１】
ディスクを載せて該ディスクの搬入方向および搬出方向に移動するトレイと、このトレイに載ってドライブ位置まで搬入されたディスクを回転自在に保持するディスク保持手段と、このディスク保持手段により保持されたディスクの盤面に沿ってその半径方向に移動するピックアップと、このピックアップをディスクの半径方向に移動させるためのピックアップ送り手段とを含み、前記ピックアップ送り手段が前記ピックアップの移動方向と平行に配置されて正逆に回転駆動するリードスクリューを具備して構成されるディスク駆動装置において、
前記トレイに、ディスクを載置する面とは逆側に突出する壁状突起を設けると共に、前記ピックアップと前記リードスクリューとの間には、前記壁状突起の介入を許容する空隙を設け、前記搬入方向へのトレイの移動によりディスクが前記ドライブ位置まで搬入された状態で前記壁状突起がピックアップとリードスクリューとの間に介在する構成としたことを特徴とするディスク駆動装置。
【請求項２】
前記壁状突起は、トレイに設けられる移動用ラックと一体に形成されることを特徴とする請求項１記載のディスク駆動装置。
【発明の詳細な説明】
【技術分野】
【０００１】
本発明は、情報記録媒体としてのディスクをトレイに載せて搬送する構成のディスク駆動装置に係わり、特にディスクに記録された情報の読み出しなどに利用されるピップアップに対し、その駆動系に塗布した潤滑剤が付着するのを防止できるようにしたディスク駆動装置に関する。
【背景技術】
【０００２】
従来、楽曲情報などをディスクに記録したり、その記録情報を再生したりするのに用いられるディスク駆動装置として、ディスクをトレイに載せて搬送する方式のもの、あるいはディスクを一対のローラで挟み込んで搬送する方式のもの等が知られる。
【０００３】
一般に、その種のディスク駆動装置は、ディスクを回転自在に保持するディスク保持手段と、該ディスク保持手段により保持されたディスクの盤面に沿ってその半径方向に移動するピックアップと、該ピックアップをディスクの半径方向に移動させるためのピックアップ送り手段とを含み、そのピックアップ送り手段がピックアップに固設されるラック状のナット部材と噛合うリードスクリューを具備して構成される。
【０００４】
ここに、上記ナット部材とリードスクリューは互いに摺接する部品であるから、その両者にはグリースなどの潤滑剤を塗布してナット部材とリードスクリューとの間の摩擦を減じ、これによりピックアップの円滑な動作が保障されるようにしている。
【０００５】
しかし、目的のディスクトラックを検索するなどの場合に、リードスクリューを高速回転させると、その表面に塗布された潤滑剤が遠心力により周囲に飛散するという問題がある。特に、外気温が高かったりピックアップの移動を繰り返し行ったりした場合には、潤滑剤の粘性が低下するために、その飛散が顕著となる。
【０００６】
そこで、従来ではピックアップの移動用として回転駆動されるリードスクリューの上部にカバー部を併設している（例えば、特許文献１）。
【０００７】
【特許文献１】特許第３４８０２８８号公報（段落００２２）
【発明の開示】
【発明が解決しようとする課題】
【０００８】
然しながら、リードスクリューはピックアップの横に隣接して配置されるので、特許文献１のようにリードスクリューの上方をカバー部により覆っても、リードスクリューに塗布した潤滑剤がピックアップ側に飛散し、これがピックアップに付着して情報の読出エラーなどを発生する虞があった。
【０００９】
尚、ピックアップに対する潤滑剤の付着を防止するために、ピックアップ側にもカバー部を設けることが考えられるものの、これによればリードスクリューに対する潤滑剤の塗布が困難になる。
【００１０】
又、特許文献１のように、リードスクリューの上方にカバー部を併設するものでは、ピックアップなどを備えるドライブユニット（一般にトラメカと呼ばれる）にカバー部を固定する取付部を設けねばならないので、カバー部や固定用ネジなどを含めると多くの部材が必要となるばかりでなく、その組付けに多くの時間を費やしてしまうので生産性の低下を招くという問題がある。
【００１１】
本発明は以上のような事情に鑑みて成されたものであり、その目的は装置の生産性を悪化させることなく潤滑剤によるピックアップの汚損を防止できるようにする事にある。
【課題を解決するための手段】
【００１２】
本発明は上記目的を達成するため、ディスクＤを載せて該ディスクの搬入方向Ｌ１および搬出方向Ｌ２に移動するトレイ３と、このトレイ３に載ってドライブ位置まで搬入されたディスクＤを回転自在に保持するディスク保持手段と、このディスク保持手段により保持されたディスクＤの盤面に沿ってその半径方向に移動するピックアップ６と、このピックアップ６をディスクＤの半径方向に移動させるためのピックアップ送り手段とを含み、前記ピックアップ送り手段が前記ピックアップ６の移動方向と平行に配置されて正逆に回転駆動するリードスクリュー１３を具備して構成されるディスク駆動装置において、
前記トレイ３に、ディスクＤを載置する面とは逆側に突出する壁状突起３４，３６を設けると共に、前記ピックアップ６と前記リードスクリュー１３との間には、前記壁状突起３４，３６の介入を許容する空隙Ｇを設け、前記搬入方向Ｌ１へのトレイ３の移動によりディスクＤが前記ドライブ位置まで搬入された状態で前記壁状突起３４，３６がピックアップ６とリードスクリュー１３との間に介在する構成としたことを特徴とする。
【００１３】
又、前記壁状突起３４は、トレイ３に設けられる移動用ラック３５と一体に形成されることを特徴とする。
【発明の効果】
【００１４】
本発明によれば、ディスクを載せて移動するトレイに、ディスクがドライブ位置まで搬入された状態でピックアップとリードスクリューとの間に介在する壁状突起を設けていることから、その壁状突起によりピックアップのみならずディスクに対する潤滑剤の付着を防止することができる。
【００１５】
しかも、潤滑剤の飛散防止用として、新たな部材を装置に組み付けることを必要としないので、ディスク駆動装置の生産性を損なわず、コスト抑制効果が上がる。
【発明を実施するための最良の形態】
【００１６】
以下、図面に基づいて本発明を詳しく説明する。図１は本発明に係るディスク駆動装置の外観を示す斜視概略図である。図１において、１は装置本体であり、その前面部には横長の開口部２が形成される。３は開口部２から出入りする扁平板状のトレイであり、このトレイ３上にディスクＤを載せ得るようにしてある。そして、係るトレイ３はディスクＤを載せて該ディスクの搬入方向Ｌ１と搬出方向Ｌ２に移動し、搬出方向Ｌ２への移動時には該トレイ３が開口部２より外方に張り出してその上に載せられたディスクＤを取り出すことができる。
【００１７】
図２には、装置本体の内部構造を概略して示す。図２において、０は昇降動作が可能とされるドライブユニットであり、このドライブユニット４は、ベースシャーシ５にピックアップ６やステッピングモータ７などを一体に組み付けて構成され、ステッピングモータ７にはディスクＤの中心部を支持するターンテーブル８が取り付けられる。
【００１８】
又、装置本体１の内部には、トレイ３の移動経路を挟んでターンテーブル８と対向する位置にクランプ盤９が設けられる。このクランプ盤９は、ターンテーブル８と協同してディスクＤを回転自在に保持するディスク保持手段を構成するもので、ターンテーブル８が回転駆動されたときにはディスクＤを介してクランプ盤９も回転する。
【００１９】
ここで、ディスクの搬入方向Ｌ１に対するトレイ３の移動により、その上に載せられたディスクＤはその中心がターンテーブル８に対向する位置（これをドライブ位置とする）まで搬入されるが、ディスクＤがドライブ位置まで搬入されると、ドライブユニット４が上昇してターンテーブル８とクランプ盤９とによりディスクＤの中心部がチャッキングされ、これによりディスクＤがトレイ３から僅かに浮上した状態で回転されるようにしてある。そして、このときピックアップ６がディスクＤの盤面に沿ってその半径方向に移動しながら、ディスクＤに記録された情報の読み取りなどを行うよう構成される。
【００２０】
尚、図３から明らかなように、トレイ３には直径８ｃｍと１２ｃｍのディスクに対応して２つの円形凹部３１，３２が同心状に形成されるほか、その円形凹部３１，３２の中心部分から半径方向に延びる長孔３３が開設され、その長孔３３を通じてターンテーブル８の昇降が許容されるようにしてある。
【００２１】
又、図４から明らかなように、トレイ３の長孔３３はピックアップ６の移動方向に対応して開口されており、これによりピックアップ６から出射されるレーザビームをディスクの盤面に適切に照射することが可能とされる。
【００２２】
次に、図５および図６により、ドライブユニット４の構成例を詳しく説明すると、ベースシャーシ５には、ピックアップ６の移動案内をする左右一対のガイド軸１１，１２が取り付けられ、ピックアップ６の両側には一対のガイド軸１１，１２の外周部に摺動自在に嵌合するスライド部材６１，６２が設けられる。
【００２３】
又、図６で明らかなように、ベースシャーシ５にはピックアップ６の片側でガイド軸１１，１２に平行するリードスクリュー１３が回転自在に取り付けられ、その一端が制御モータ１４（ステッピングモータなど）の駆動軸に直結されている。リードスクリュー１４は、ピックアップ６をディスクの半径方向に移動させるピックアップ送り手段を構成するものであり、これは外周面に螺旋溝を形成するネジ軸とされる。
【００２４】
一方、ピックアップ６には、リードスクリュー１３側に張り出すアーム６３が固設され、そのアーム６３の先端にリードスクリュー１３と噛合うラック状のナット部材６４が一体に設けられる構成としてある。
【００２５】
図７に示すように、ナット部材６４は複数条（図示例において２条）の歯部６４Ａを有するもので、その歯部６４Ａがリードスクリュー１３の螺旋溝に嵌まり込むようになっている。尚、ナット部材６４とアーム６３との間には、ナット部材６４をリードスクリュー１３に向けて付勢する図示せぬバネが介在させてあり、これによりナット部材６４とリードスクリュー１３の噛合いが保持されるようになっている。
【００２６】
しかして、制御モータ１４を起動してリードスクリュー１３を回転駆動させると、これに噛合うナット部材６４を介してリードスクリュー１３の回転運動がピックアップ６の直線運動に変換され、これによりピックアップ６がリードスクリュー１３に平行なガイド軸１１，１２に沿ってディスクの半径方向に移動することとなる。
【００２７】
尚、リードスクリュー１３とナット部材６４には、その両者間における摩擦を減少するためにグリースなどの潤滑剤が塗布されるため、ピックアップ６を移動させるべくリードスクリュー１３を回転駆動したときには、その表面に塗布した潤滑剤が遠心力によりピックアップ６側に飛散してピックアップ６を汚損する虞があるが、本発明によれば、潤滑剤がピックアップ６側に飛散するのを防止することができる。
【００２８】
係る潤滑剤の飛散防止構造を図８〜図１０により説明すれば、図８はディスクがトレイに載せられてドライブ位置まで搬入された状態を示す平面概略図であり、図９には図８におけるＸ−Ｘ断面を示す。これらの図で明らかなように、トレイ３にはその底面部からピックアップ６側（下方）に突出する壁状突起３４が設けられる。この壁状突起３４は、リードスクリュー１３に塗布された潤滑剤がピックアップ６側に飛散するのを防止する防護壁を成すもので、これはディスクの搬入方向に対するトレイ３の移動によりディスクがドライブ位置まで搬入された状態で、ピックアップ６とリードスクリュー１３との間に介在するようになっている。
【００２９】
特に、係る壁状突起３４は、図８のようにピックアップ６の片側でその移動方向に沿って延び、その全長がピックアップ６の移動ストロークと同等もしくはそれよりも稍長く設定される。
【００３０】
又、図１０のように、壁状突起３４はトレイ３に設けられる移動用ラック３５と一体にして、該ラック３５の一部分を下方に突出せしめることにより形成される。尚、トレイ３のラック３５には図示せぬピニオンが噛合わされ、当該ピニオンの回転駆動を以ってトレイ３の移動（ディスクの搬入方向および搬出方向）が行われるようになっている。ここに、ラック３５の歯部はリードスクリュー１３側に向けられるのであり、これによればラック３５に塗布される潤滑剤がピックアップ６に付着する虞もなく、しかもリードスクリュー１３から飛散した潤滑剤をラック３５に付着せしめてトレイ３の円滑動作に寄与することができる。
【００３１】
又、図９のように、ピックアップ６とリードスクリュー１３との間には、壁状突起３４の介入を許容する空隙Ｇが形成されるが、本例においてその空隙Ｇはアーム６３とナット部材６４との接続部分を断面凹字形とすることで形成される。
【００３２】
そして、以上のような壁状突起３４によれば、リードスクリュー１３に塗布された潤滑剤がピックアップ６に付着するのを防止できるだけでなく、トレイ３の長孔３３を通じて潤滑剤がディスクに付着することも防止することができ、このため信号検出エラーを発生せず、装置の信頼性を大幅に向上させることができる。しかも、係る壁状突起３４は、トレイ３との一体成型により低コストにして容易に設けることができ、装置の組立作業も従来通りに行うことができる。
【００３３】
以上、本発明について説明したが、壁状突起３４はトレイ３の移動用ラック３５と一体として形成することに限らず、これをラック３５とは別体として設けるようにしてもよい（図１１参照）。そして、図１１のような壁状突起３６でも、図１２のようにピックアップ６とリードスクリュー１３との間に介在せしめてリードスクリュー１３に塗布された潤滑剤からピックアップ６やドライブ位置に存在するディスクを防護することができる。
【００３４】
尚、上記例によれば、壁状突起３４，３６がトレイ３の長さ方向（移動方向）に沿って形成され、リードスクリュー１３も同方向に向けて配置されるが、リードスクリュー１３を含むドライブユニット４はトレイ３の移動中に降下状態にあるので、壁状突起３４，３６とリードスクリュー１３が互いに交差する配置とされていても、ディスクがドライブ位置に到達したときのドライブユニット４の上昇移動により壁状突起３４，３６をピックアップ６とリードスクリュー１３との間に介入せしめることができる。
【図面の簡単な説明】
【００３５】
【図１】本発明に係るディスク駆動装置を示す斜視外観図
【図２】同装置の内部構造を示す概略図
【図３】トレイを上方からみた斜視図
【図４】トレイとピックアップの位置関係を示す斜視図
【図５】ピックアップを含んで構成されるドライブユニットを上方からみた斜視図
【図６】同ドライブユニットを下方からみた斜視図
【図７】リードスクリューと噛合うナット部材を示す斜視図
【図８】ディスクがドライブ位置まで搬入された状態を示す平面概略図
【図９】図８におけるＸ−Ｘ断面図
【図１０】トレイを下方からみた斜視図
【図１１】トレイの変更例を示す斜視図
【図１２】図１１のトレイを用いた装置の要部を下方からみた斜視図
【符号の説明】
【００３６】
１  装置本体
３  トレイ
３４  壁状突起
３５  移動用ラック
３６  壁状突起
４  ドライブユニット
６  ピックアップ
６４  ナット部材
８  ターンテーブル
９  クランプ盤
１１，１２  ガイド軸
１３  リードスクリュー
【図１】
2007188614.tif 000003
【図２】
2007188614.tif 000004
【図３】
2007188614.tif 000005
【図４】
2007188614.tif 000006
【図５】
2007188614.tif 000007
【図６】
2007188614.tif 000008
【図７】
2007188614.tif 000009
【図８】
2007188614.tif 000010
【図９】
2007188614.tif 000011
【図１０】
2007188614.tif 000012
【図１１】
2007188614.tif 000013
【図１２】
2007188614.tif 000014